(57)【要約】【課題】上半身及び下半身へ個別に要求されるマッサージに対応して好適なマッサージを施すことができる上下半身ノズル水圧マッサージ機を提供することにある。【解決手段】人が臥して用いるウォーターベッド式の水圧マッサージ機1において、ベッド本体７の一方と他方にそれぞれ、ノズル２を有する一方・他方刺激装置１７ａ・1７bが設けられ、一方刺激装置１７ａと他方刺激装置１７bとは、ノズル数、ノズル形状、ノズル配置が互いに異なり、ベッド本体７上の人体の一方・他方のそれぞれに異なるマッサージを付与でき、一方刺激装置１７ａに設けられる円盤５には集束ノズル３が形成せられ、他方刺激装置１７ｂに設けられる円盤５には拡散ノズル４が形成せられる上下半身ノズル水圧マッサージ機である。【選択図】図１
2006204554.tif 000002
【特許請求の範囲】
【請求項１】
人が臥して用いるウォーターベッド式の水圧マッサージ機（１）において、ベッド本体（７）の一方と他方にそれぞれ、ノズル（２）を有する一方・他方刺激装置（１７ａ）（1７b）が設けられ、
一方刺激装置（１７ａ）と他方刺激装置（１７ｂ）とは、ノズル数、ノズル形状及びノズル配置が互いに異なり、ベッド本体（７）上の人体の上半身と下半身のそれぞれに異なるマッサージを付与できる上下半身ノズル水圧マッサージ機。
【請求項２】
一方刺激装置（１７ａ）に設けられる円盤（５）には集束ノズル（３）が形成せられ、他方刺激装置（１７ｂ）に設けられる円盤（５）には拡散ノズル（４）が形成せられることを特徴とする請求項１記載の上下半身ノズル水圧マッサージ機。
【請求項３】
一方刺激装置（１７ａ）に設けられる円盤（５）には複数個のノズル（２）が形成せられ、他方刺激装置（１７ｂ）に設けられる円盤（５）には、一個のノズル（２）が形成せられることを特徴とする請求項１記載の上下半身ノズル水圧マッサージ機。
【請求項４】
一方刺激装置（１７ａ）に設けられる円盤（５）には、複数個のノズル（２）を密集状に配置した密集配置ノズル（６）が形成せられ、他方刺激装置（１７ｂ）に設けられる円盤（５）には、複数個のノズル（２）を分散状に配置した分散配置ノズル（１８）が形成せられることを特徴とする請求項１記載の上下半身ノズル水圧マッサージ機。
【発明の詳細な説明】
【技術分野】
【０００１】
本発明は、マッサージを受けようとする臥姿勢の人体（＝以下患者という）の頸部、体幹及び下肢を、噴射水圧によりマッサージする上下半身ノズル水圧マッサージ機に関する。
【背景技術】
【０００２】
従来の技術には、水槽１９、シート、左右ノズル等からなるウォーターベッド式マッサージ機が開示されている。
【０００３】
従来の技術は、前記左右ノズルを臥した患者の身長方向（以下縦方向という）に向けて移動させながら左右対称に回動させ臥した患者の肩幅方向（以下横方向という）に移動させることによってマッサージを行ない、患者の背中に存在する各種のツボを全体的に刺激することができる。
【特許文献１】特開２００３−２６０１０３号公報
【発明の開示】
【発明が解決しようとする課題】
【０００４】
解決しようとする課題は、従来の技術には、上半身のマッサージと下半身のマッサージを適宜異なるマッサージとし患者毎に適応したマッサージを行なう構成、作用は開示されていない。従って、上半身及び下半身へ個別に要求されるマッサージに、対応した好適なマッサージを施すことができず、上半身及び下半身は個別に要求されるマッサージに対応できるマッサージ装置を提供することである。
【課題を解決するための手段】
【０００５】
本発明の目的は、上記課題に応えたものであり、上半身及び下半身へ個別に要求されるマッサージに、対応した好適なマッサージを施すことができる上下半身ノズル水圧マッサージ機を提供することにある。
即ち本発明は、人が臥して用いるウォーターベッド式の水圧マッサージ機（１）において、ベッド本体（７）の一方と他方にそれぞれ、ノズル（２）を有する一方・他方刺激装置（１７ａ）（1７b）が設けられ、一方刺激装置（１７ａ）と他方刺激装置（１７ｂ）とは、ノズル数、ノズル形状及びノズル配置が互いに異なり、ベッド本体（７）上の人体の上半身と下半身のそれぞれに異なるマッサージを付与できる上下半身ノズル水圧マッサージ機である。
又、一方刺激装置（１７ａ）に設けられる円盤（５）には集束ノズル（３）が形成せられ、他方刺激装置（１７ｂ）に設けられる円盤（５）には拡散ノズル（４）が形成せられる。
更に、一方刺激装置（１７ａ）に設けられる円盤（５）には複数個のノズル（２）が形成せられ、他方刺激装置（１７ｂ）に設けられる円盤（５）には、一個のノズル（２）が形成せられる。
更に又、一方刺激装置（１７ａ）に設けられる円盤（５）には、複数個のノズル（２）を密集状に配置した密集配置ノズル（６）が形成せられ、他方刺激装置（１７ｂ）に設けられる円盤（５）には、複数個のノズル（２）を分散状に配置した分散配置ノズル（１８）が形成せられる。
【発明の効果】
【０００６】
本発明に係る一方刺激装置１７ａと他方刺激装置１７bとは、ノズル数、ノズル形状、ノズル配置が互いに異なり、ベッド本体７上の人体の上半身と下半身のそれぞれに異なるマッサージを付与できるものである。
上記構成によれば、ベッド本体７の一方では強いマッサージができ、他方では柔らかいマッサージができるものである。患者は上半身又は下半身のうち強いマッサージを受けたい半身をベッド本体７の一方へ乗せる。
【０００７】
上半身に強いマッサージを受けたい場合、ベッド本体７の一方へ上半身を乗せ、他方へ下半身を乗せる。上述のようにして、ベッド本体７に乗る患者の上半身及び下半身のそれぞれに、異なるノズル数、ノズル形状、ノズル配置等をもって患者毎に好適な態様のマッサージを付与でき、上・下半身共に患者毎の要望に応じた好適なマッサージを付与でき、好都合である。
【０００８】
本発明は、一方刺激装置１７ａに設けられる円盤５には、集束ノズル３が形成せられ、他方刺激装置１７ｂに設けられる円盤５には、拡散ノズル４が形成せられるものであるから、人体の上・下半身の内の一方（例えば、上半身）には集束ノズル３で、集中した強い刺激のマッサージを付与でき、上・下半身の内の他方（例えば、下半身）には拡散ノズル４で、拡散した柔らかい刺激のマッサージを付与でき、上・下半身共に患者毎の要望に応じた好適なマッサージを付与でき、好都合である。
【０００９】
本発明は、一方刺激装置１７ａに設けられる円盤５には、複数個のノズル２が形成せられ、他方刺激装置１７ｂに設けられる円盤５には、一個のノズル２が形成せられるものであるから、人体の上・下半身の内の一方（例えば、上半身）は複数個のノズル２で離れた部位を同時に刺激でき、上・下半身の内の他方（例えば、下半身）は一個のノズル２で狭い範囲を集中的に刺激でき、上・下半身共に患者の対象部位に応じた好適なマッサージを付与でき、好都合である。
【００１０】
本発明は、一方刺激装置１７ａに設けられる円盤５には複数個のノズル２を密集状に配置した密集配置ノズル６が形成せられ、他方刺激装置１７ｂに設けられる円盤５には複数個のノズル２を分散状に配置した分散配置ノズル１８が形成せられるから、人体の上・下半身の内の一方（例えば、上半身）へは密集配置ノズル６で、面状部位を集中的に刺激でき、上・下半身の内の他方（例えば、下半身）へは分散状に配置した分散配置ノズル１８で、点状部位を疎状に刺激でき、上・下半身共に患者の対象部位に応じた好適なマッサージを付与でき、好都合である。  
【発明を実施するための最良の形態】
【００１１】
上半身及び下半身へ個別に要求されるマッサージに対応した好適なマッサージを施すことができる水圧マッサージ機１を提供する目的を、ベッド本体７の一方・他方に、ノズル２を有する一方・他方刺激装置１７ａ・1７bが設けられ、一方刺激装置１７ａと他方刺激装置１７bとは、ノズル数、ノズル形状、ノズル配置が互いに異なり、ベッド本体７上の人体の上・下半身のそれぞれに異なるマッサージを付与できるものになした臥式の上下半身ノズル水圧マッサージ機１をもって、実現した。
【実施例１】
【００１２】
図１、２に本発明の実施例１を示している。
実施例１に示す水圧マッサージ機１は、水を満たす水槽１９を擁するベッド本体７と、該水槽１９内にあって、水を噴射するノズル２を有し該ノズル２を水槽１９の縦方向及び横方向に移動させる刺激装置１７と、刺激装置１７に水槽１９の水を循環供給する循環機構２０と、水槽１９の上面の開口部２１を水密に覆う可撓な膜８とからなる。
【００１３】
ベッド本体７が擁する水槽１９は平面視長方形の容器であり、水を収容する。水槽１９の上面は開口してなる開口部２１である。
尚、水槽１９の形状は、平面視長方形に限定されるものではなく、平面視楕円形又は正方形又は適宜な任意な形状であってもよい。
【００１４】
前記膜８は、伸縮材で製作され、開口部２１を覆って、水槽１９の全周縁に止着される。患者は膜８上に臥し、マッサージを受ける。
【００１５】
刺激装置１７は、水槽１９の底壁１３に載置され水槽１９の縦方向に移動可能な台１５と、台１５の上部に設けられる円盤５と、円盤５の上部に形成されるノズル２と、該ノズル２を水平面に回動させ水槽１９の横方向に移動させる回動機構２８と、台１５を水槽１９の縦方向に移動させる縦移動機構２７とからなる。
【００１６】
台１５の胴部には雌ネジ１４が設けられ、台１５の側面には取水口２２が設けられる。台１５の下部には底壁１３を転動する車輪２３が設けられる。
【００１７】
台１５の上面には円盤５が回動可能に設けられる。
台１５には、それぞれ二個の円盤５・５が載設される。
円盤５の外周には、歯車２４が形成される。
二つの円盤５・５を隣り合わせに並設し、両円盤５のそれぞれの歯車２４を噛み合わせる。
【００１８】
ノズル２は円盤５の上部に開けられる孔であり、該ノズル２は、円盤５内の空洞２６に連通しており、前記空洞２６に充満する水を上方向へ噴射するものである。ノズル２は、円盤５の回転中心軸２５から離れた位置に開けられる。
【００１９】
ノズル２には、円盤５の肉厚部にテーパー部をもって先細状に形成され、水を集束状に噴射させる集束ノズル３と、円盤５の肉厚部に朝顔花弁状部をもって先太状に形成され、水を拡散状に噴射させる拡散ノズル４の二種類がある。
回動中心軸２５の内部は中空であり、回動中心軸２５の下部には取水口２２が連通され、回動中心軸２５の頂部には空洞２６が連通され、回転中心軸２５は取水口２２から得た水を円盤５へ導いている。
【００２０】
刺激装置１７には、ベッド本体７の一方に載設される一方刺激装置１７ａと、ベッド本体７の他方に載設される他方刺激装置１７ｂが有る。
一方刺激装置１７ａと他方刺激装置１７ｂでは、ノズル数、ノズル形状、ノズル配置が互いに異なり、ベッド本体７上の人体の上半身及び下半身のそれぞれに異なるマッサージを付与できるものである。
実施例１では、一方刺激装置１７ａに係る円盤５には、集束ノズル３が設けられ、他方刺激装置１７ｂに係る円盤５には、拡散状に水を噴射させる拡散ノズル４が設けられる。
【００２１】
縦移動機構２７は、水槽１９の縦方向に掛け渡され台１５を縦方向に移動させる移動ネジ軸３２（一方・他方移動ネジ軸３２ａ・３２ｂ）と、ベッド本体７内に有って、前記移動ネジ軸３２を回動させ水槽１９の外側に設けられる移動モーター１２（一方・他方移動モータ１２ａ・１２ｂ）とからなる。移動ネジ軸３２に、各台１５に設けられた雌ネジ１４が螺合する。
【００２２】
回動機構２８は、水槽１９の縦方向に掛け渡され円盤５に接してこれを回動させる回動用軸２９（一方・他方回動用軸２９ａ・２９ｂ）と、ベッド本体７内に有って、前記回動用軸２９を回動させ水槽１９の外側に設けられる回動モーター１１（一方・他方回動モーター１１ａ・１１ｂ）とからなる。
【００２３】
回動用軸２９には、ウォームギア１９が摺動自在に外嵌され当該軸２９と一体に回動する。該ウォームギア１９は円盤５の外周に設けられる歯車２４に噛合される。
この噛合により回動用軸２９の回動力は円盤５に伝動する。
【００２４】
循環機構２０は、ベッド本体７内に有って、水槽１９内の水を吸入し圧縮するポンプ９（一方・他方ポンプ９ａ・９ｂ）と、ポンプ９に係る配管３０と、ポンプ９の加圧水をノズル２へ導くホース３１とからなる。
循環機構２０は、水槽１９内の水をポンプ９で取り込み、取り込んだ水をノズル２へ付与し、ノズル２から上方へ噴射し、噴射した水を水槽１９へ戻し、このようにして水槽１９内の水を循環させるものである。
【００２５】
前記ポンプ９は、水槽１９内の水を、底壁１３に開設された吸入口３５から配管３０を介して吸入し、加圧するものである。
前記ポンプ９の吐水口３３に基端が取着された配管３０の先端は、底壁１３の出水口３４に至る。
【００２６】
ホース３１は、出水口３４と台１５の取水口２２の間に接続され、加圧水を台１５へ導くものである。台１５の内部には流路１０が形成されており、加圧水は流路１０を通ってノズル２に導かれる。
【００２７】
実施例１を使用する際は、先ず、水槽１９に、水を水位が膜８に到達するまで注入し満たす。
次に、患者は膜８上に乗る。ベッド本体７に乗る際、ベッド本体７の一方へ上半身を乗せるか下半身を乗せるかは患者が適宜選択できる。患者は膜８の張力及び水槽１９内の水の浮力の作用で支持される。
【００２８】
続いて、ポンプ９を駆動させると、該ポンプ９は吸入口３５から水槽１９内の水を吸入し、吸入した水をノズル２から上方向へ噴射する。
膜８は、伸縮性を有しているので、患者に押されて自在に変形し患者外形状によく添うと共に、噴射水の圧力を受けて自在に凸状に変形する。
【００２９】
膜８に噴射水が衝突し該膜８は上方に瞬時突出変形し、膜８を介して患者を押圧し刺激し、マッサージを行なう。
膜８は、噴出水の衝撃に係るエネルギーの減衰を少なくして、当該エネルギーを患者に伝導する。
【００３０】
前記ノズル２は、台１５の縦移動と共に縦移動し、円盤５の回転と共に回転し横移動する。
【００３１】
マッサージ態様を示すと、横方向に並んだ二つの円盤５が回動するとノズル２は水槽１９の横方向の端まで移動する。
台１５を縦方向に往復移動させるとノズル２は、台１５と共にベッド本体７の縦方向に移動する。
【００３２】
二つの円盤５を回動させ、台１５を縦方向に往復移動させるとノズル２は、ベッド本体７の横方向及び縦方向に移動する。
マッサージを重視する側が「上半身」の場合、ベッド本体７の「一方」に患者は「上半身」を乗せる。
この場合、一方刺激装置１７ａの集束ノズル３は、患者の上半身の頚部、肩、背中及び腰等の下方（＝患部より低位置であって、膜の裏部）を移動し、頚部、肩、背中及び腰に対して上方向噴射水をもって水圧マッサージを付与する。
【００３３】
ベッド本体７の他方には下半身が乗ることになり、他方刺激装置１７ｂの拡散ノズル４はベッド本体７の横方向、及び縦方向の他方の範囲を移動し、患者の大腿、膝及び足等にマッサージを施す。
前記集束ノズル３は、噴射水を膜８を介して上半身の諸患部へ集中させて当て該患部に強い刺激を与え、拡散ノズル４は、噴射水を膜８を介して下半身の諸患部へ拡散させて付与し、該患部に柔らかい刺激を与える。
【００３４】
マッサージを重視する側が「下半身」の場合、ベッド本体７の「一方」に患者は「下半身」を乗せる。
この場合、一方刺激装置１７ａの集束ノズル３は、患者の下半身の大腿、膝及び足等の下方を移動し、大腿、膝及び足等に対して上方向噴射水をもって水圧マッサージを付与する。
【００３５】
ベッド本体７の他方には上半身が乗ることになり、他方刺激装置１７ｂの拡散ノズル４はベッド本体７の横方向の全幅に亘って移動し、及び縦方向の他方側の範囲を移動し、患者の頚部、肩、背中及び腰等にマッサージを施す。
前記集束ノズル３は、噴射水を膜８を介して下半身の諸患部へ集中させて当て該患部に強い刺激を与え、拡散ノズル４は、噴射水を膜８を介して上半身の諸患部へ拡散させて付与し、該患部に柔らかい刺激を与える。
【実施例２】
【００３６】
図３に示す実施例２は、実施例１の「集束ノズル３が設けられた円盤５」を、「複数個のノズル２が設けられた円盤５」に代え、「拡散ノズル４が設けられた円盤５」を、「一個のノズル２が設けられた円盤５」に代えたものである。
【００３７】
実施例２の一方刺激装置１７ａは、複数個のノズル２が設けられた円盤５を有し、他方刺激装置１７ｂは、一個のノズル２が設けられた円盤５を有する。
複数個のノズル２が設けられた円盤５には、該円盤５の縁部位置に設けられる縁部ノズル２ａと、円盤５の縁と回動中心軸２５との中間位置に設けられる中間部ノズル２ｂとの計二個が設けられる。縁部ノズル２ａと中間部ノズル２ｂとは回動中心軸２５を挟んで対向した位置に形成される。
又、一個のノズル２が設けられた円盤５には、該円盤５の縁部位置に縁部ノズル２ａが一個設けられる。
【００３８】
上半身と下半身の内、マッサージを重視する側を、複数個のノズル２が設けられた円盤５のある側の上に乗せ、マッサージを重視しない側を、一個のノズル２が設けられた円盤５のある側の上に乗せる。
【００３９】
具体的には、上半身を重視してマッサージする場合は、ベッド本体７の、複数個のノズル２が設けられた円盤５のある側の上に上半身を乗せ、一個のノズル２が設けられた円盤５のある側の上に下半身を乗せる。
下半身を重視してマッサージする場合は、複数個のノズル２が設けられた円盤５のある側の上に下半身を乗せ、一個のノズル２が設けられた円盤５のある側の上に上半身を乗せる。
【実施例３】
【００４０】
図４に示す実施例３は、実施例１の「集束ノズル３が設けられた円盤５」を、「密集配置ノズル６が設けられた円盤５」に代え、「拡散ノズル４が設けられた円盤５」を、「分散配置ノズル１８が設けられた円盤５」に代えたものである。
【００４１】
実施例３の一方刺激装置１７ａは、密集配置ノズル６が設けられた円盤５を有し、他方刺激装置１７ｂは、分散配置ノズル１８が設けられた円盤５を有する。
密集配置ノズル６が設けられた円盤５は、該円盤５の一縁部位置に複数個のノズル２を密集状に配置したものである。
又、分散配置ノズル１８が設けられた円盤５は、該円盤５の上面に複数個のノズル２を分散状に配置したものである。
【００４２】
上半身と下半身の内、マッサージを重視する側を、密集配置ノズル６が設けられた円盤５の有る側の上に乗せ、マッサージを重視しない側を、分散配置ノズル１８が設けられた円盤５の有る側の上に乗せる。
【００４３】
具体的には、上半身を重視してマッサージする場合は、ベッド本体７の、密集配置ノズル６が設けられた円盤５の有る側の上に上半身を乗せ、分散配置ノズル１８が設けられた円盤５の有る側の上に下半身を乗せる。
下半身を重視してマッサージする場合は、密集配置ノズル６が設けられた円盤５の有る側の上に下半身を乗せ、分散配置ノズル１８が設けられた円盤５の有る側の上に上半身を乗せる。
【産業上の利用可能性】
【００４４】
ベッド本体７の一方と他方に、ノズル２を有する一方・他方刺激装置１７ａ・1７bが設けられ、一方刺激装置１７ａと他方刺激装置１７bとは、ノズル数、ノズル形状、ノズル配置が互いに異なり、ベッド本体７上の人体の上・下半身のそれぞれに異なるマッサージを付与できるものに構成にして、上半身と下半身へ個別に要求されるマッサージに対応して、好適なマッサージを施すことができる上下半身ノズル水圧マッサージ機１に適用できる。
【図面の簡単な説明】
【００４５】
【図１】本発明の実施例１の平面図である。
【図２】本発明の実施例１の内部を透視した正面図である。
【図３】本発明の実施例２の平面図である。
【図４】本発明の実施例３の平面図である。
【符号の説明】
【００４６】
１  水圧マッサージ機
２  ノズル
３  集束ノズル
４  拡散ノズル
５  円盤
７  ベッド本体
６  密集配置ノズル
１７ａ一方刺激装置
１７ｂ他方刺激装置
１８  分散配置ノズル
【図１】
2006204554.tif 000003
【図２】
2006204554.tif 000004
【図３】
2006204554.tif 000005
【図４】
2006204554.tif 000006